(57)【要約】【課題】発光アセンブリの組立及び管理をより容易にするバックライトユニットを提供すること。【解決手段】光源を備える光源モジュールと、前記光源モジュールに隣接して配置され、前記光源から放出された光が入射する入射部と、前記入射した光が出射する出射部と、を備える導光板と、前記導光板の一側に設けられる反射シートと、前記反射シートから延長するように配置され、前記導光板から出射する光の反射量を調節する光調節部と、からなる発光アセンブリを含むバックライトユニットを提供する。【選択図】図１６
2011238610.tif 000002
【特許請求の範囲】
【請求項１】
光源を備える光源モジュールと、
前記光源モジュールに隣接して配置され、前記光源から放出された光が入射する入射部と、前記入射した光が出射する出射部と、を備える導光板と、
前記導光板の一側に設けられる反射シートと、
前記反射シートから延在するように配置され、前記導光板から出射する光の反射量を調節する光調節部と、
からなる発光アセンブリを含む、バックライトユニット。
【請求項２】
前記光調節部は、前記反射シートと一体として形成される、請求項１に記載のバックライトユニット。
【請求項３】
前記光調節部は、前記反射シートの少なくとも一つの側面から既に設定された長さだけ延在して形成される、請求項１に記載のバックライトユニット。
【請求項４】
前記発光アセンブリは、少なくとも２個が設けられて、相互に隣接するように配置され、
特定の発光アセンブリの光調節部は、隣接する発光アセンブリの光調節部と少なくとも一部が重なるか、あるいは接触して配置される、請求項３に記載のバックライトユニット。
【請求項５】
前記各発光アセンブリの光源モジュールと隣接する部分に設けられる光調節部は、他の発光アセンブリの光調節部と互いに離隔するように配置され、
前記各発光アセンブリの光源モジュールから既に設定された距離だけ離れた光調節部は、他の発光アセンブリの光調節部と重なるか、あるいは接触するように配置される、請求項４に記載のバックライトユニット。
【請求項６】
前記光調節部は、前記反射シートの少なくとも一つの側面に設けられて反射面積を有する第１光調節部と、前記第１光調節部と連結され、前記第１光調節部よりも広い反射面積を有する第２光調節部と、を含み、
前記第１光調節部は側方に延在し、前記第２光調節部は、前記第１光調節部の延在長さよりも長く延在する、請求項３に記載のバックライトユニット。
【請求項７】
前記第１光調節部と前記第２光調節部とは、段差状に設けられる、請求項６に記載のバックライトユニット。
【請求項８】
前記発光アセンブリは少なくとも２個が設けられ、
第１発光アセンブリの第１光調節部は、導光板の側面の下部に設けられ、第２光調節部は、導光板の側面の上部に設けられ、
前記第１発光アセンブリに隣接して配置される第２発光アセンブリの第１光調節部は、該導光板の側面の上部に設けられ、第２光調節部は、導光板の側面の下部に設けられる、請求項７に記載のバックライトユニット。
【請求項９】
前記発光アセンブリを収容するボトムカバーをさらに含み、
前記第１発光アセンブリは、前記ボトムカバーの中央部に配置され、
前記第２発光アセンブリは、前記第１発光アセンブリの両側面に配置され、
これら左右方向に配置される第１及び第２発光アセンブリは、前記ボトムカバーの上下方向に対応して複数の列形態に配置される、請求項８に記載のバックライトユニット。
【請求項１０】
前記第１発光アセンブリの第２光調節部の延在長さは、前記第２発光アセンブリの第２光調節部の延在長さよりも長い、請求項８に記載のバックライトユニット。
【請求項１１】
前記第１発光アセンブリの第２光調節部は、前記第２発光アセンブリの第１光調節部と互いに重なるか、あるいは当接するように配置され、
前記第１発光アセンブリの第１光調節部は、前記第２発光アセンブリの第２光調節部と互いに離隔して配置される、請求項８に記載のバックライトユニット。
【請求項１２】
前記第２光調節部よりも長く延在して、前記第２光調節部よりも広い反射面積を有する第３光調節部をさらに含み、
前記第１光調節部は、前記反射シートの少なくとも一つの側面の中央に設けられ、
前記第２光調節部は、前記第１光調節部の下部に設けられ、
前記第３光調節部は、前記第１光調節部の上部に設けられる、請求項６に記載のバックライトユニット。
【請求項１３】
前記光調節部が前記導光板の側面から出射する光を反射させるように、前記反射シートの左右幅は前記導光板の左右幅よりも長く形成される、請求項３に記載のバックライトユニット。
【請求項１４】
光源を備える光源モジュールと、
前記光源モジュールに隣接するように配置され、前記光源から放出される光が入射する入射部と、前記入射した光が出射する出射部と、を備える導光板と、
前記導光板の一側に設けられる反射シートと、
前記反射シートに設けられて、前記導光板から出射する光の反射量を調節する印刷パターンと、
を含む、バックライトユニット。
【請求項１５】
前記印刷パターンの色は、黒色、青色または藍色系列の色を含む、請求項１４に記載のバックライトユニット
【請求項１６】
前記印刷パターンは、前記反射シートの前面の少なくとも一つの側部に形成される、請求項１４に記載のバックライトユニット。
【請求項１７】
前記印刷パターンは、前記反射シートの上下長さ方向に傾斜する、請求項１４に記載のバックライトユニット。
【請求項１８】
前記印刷パターンの幅は、その中央部で最大となり、両端部に行くほど次第に減少する、請求項１７に記載のバックライトユニット。
【請求項１９】
前記印刷パターンの下端部は、前記光源モジュールと隣接するように配置され、前記印刷パターンの下端部の幅は上端部の幅よりも大きく形成される、請求項１８に記載のバックライトユニット。
【請求項２０】
前記反射シートの左右幅は、前記導光板の左右幅よりも大きく形成され、
前記導光板が前記反射シートに重なる場合、前記印刷パターンの少なくとも一部が前記導光板のオープン領域に配置される、請求項１４に記載のバックライトユニット。
【発明の詳細な説明】
【技術分野】
【０００１】
実施例は、バックライトユニットに係り、特に、複数の発光アセンブリを備えるバックライトユニットに関するものである。
【背景技術】
【０００２】
コンピュータのモニター、ＬＣＤ−ＴＶ、移動通信端末機などに用いられる受光型平板ディスプレイ装置の一種である液晶表示装置は、自発光能力がないため、外部から照射された照明光を選択的に投射させることによって画像を形成する。
【０００３】
このために、液晶表示装置の内部背面には光を照射するバックライトユニットが設置される。
【０００４】
バックライトユニットは、光源の配置形態によって、直下型（ｄｉｒｅｃｔ  ｌｉｇｈｔ  ｔｙｐｅ）とエッジ型（ｅｄｇｅ  ｌｉｇｈｔ  ｔｙｐｅ）とに分類される。
【０００５】
ここで、直下型は、液晶パネルの後方に設けられる導光板に光源が配置されて、導光板の後方に向けて光を照射する形態のものであり、エッジ型は、導光板の側方に光源が配置されて、導光板の側方に向けて光を照射する形態のものである。
【０００６】
従来のバックライトユニットは、一つまたは複数の光源アレイを一つの導光板が覆う形態とされているため、導光板の一部分に品質不良が発生する場合、導光板全体を交換しなければならないという問題点があった。
【０００７】
特に、導光板の一部表面にスクラッチ、縞、または歪みの部分が生じた場合、ディスプレイ装置の画面上においてそれらの部分における光の輝度または暗度が他の部分のそれと顕著に異なってくるため、導光板全体を入れ替えなければならない。
【０００８】
一方、大型画面のディスプレイ装置では、導光板の大きさもその画面の大きさに比例して大きくしなければならないが、このような大型の導光板を使用するバックライトユニットの製作は、その組立作業が面倒であるとともに時間がかかるという問題点がある。
【発明の概要】
【発明が解決しようとする課題】
【０００９】
実施例は、複数の発光アセンブリを備えるバックライトユニットとすることによって、発光アセンブリの組立及び管理をより容易にする。
【００１０】
また、実施例は、画面上に光を均一に表現させることができるバックライトユニットを提供する。
【課題を解決するための手段】
【００１１】
実施例は、光源を備える光源モジュールと、前記光源モジュールに隣接して配置され、前記光源から放出された光が入射する入射部と、前記入射した光が出射する出射部と、を備える導光板と、前記導光板の一側に設けられる反射シートと、前記反射シートから延長するように配置され、前記導光板から出射する光の反射量を調節する光調節部と、からなる発光アセンブリを含む、バックライトユニットを提供する。
【００１２】
前記光調節部は、前記反射シートと一体として形成されることができる。
【００１３】
そして、前記光調節部は、前記反射シートの少なくとも一つの側面から既に設定された長さだけ延びて形成されることができる。
【００１４】
そして、前記発光アセンブリは、少なくとも２個が設けられて、相互に隣接するように配置され、特定の発光アセンブリの光調節部は、隣接する発光アセンブリの光調節部と少なくとも一部が重なるか、あるいは接触して配置されることができる。
【００１５】
そして、前記各発光アセンブリの光源モジュールと隣接する部分に設けられる光調節部は、他の発光アセンブリの光調節部と互いに離隔するように配置され、前記各発光アセンブリの光源モジュールから既に設定された距離だけ離れた光調節部は、他の発光アセンブリの光調節部と重なったり接触するように配置されることができる。
【００１６】
そして、前記光調節部は、前記反射シートの少なくとも一つの側面に設けられて反射面積を有する第１光調節部と、前記第１光調節部と連結され、前記第１光調節部よりも広い反射面積を有する第２光調節部と、を含み、前記第１光調節部は側方に延在し、前記第２光調節部は、前記第１光調節部の延在長さよりも長く延在することができる。
【００１７】
そして、前記第１光調節部と前記第２光調節部とは、段差状に設けられることができる。
【００１８】
そして、前記発光アセンブリは少なくとも２個が設けられ、第１発光アセンブリの第１光調節部は、導光板の側面の下部に設けられ、第２光調節部は、導光板の側面の上部に設けられ、前記第１発光アセンブリに隣接して配置される第２発光アセンブリの第１光調節部は、該導光板の側面の上部に設けられ、第２光調節部は、導光板の側面の下部に設けられることができる。
【００１９】
そして、上記バックライトユニットは、前記発光アセンブリを収容するボトムカバーをさらに含み、前記第１発光アセンブリは、前記ボトムカバーの中央部に配置され、前記第２発光アセンブリは、前記第１発光アセンブリの両側面に配置され、これら左右方向に配置される第１及び第２発光アセンブリは、前記ボトムカバーの上下方向に対応して複数の列形態に配置されることができる。
【００２０】
そして、前記第１発光アセンブリの第２光調節部の延在長さは、前記第２発光アセンブリの第２光調節部の延在長さよりも長いものとすることができる。
【００２１】
そして、前記第１発光アセンブリの第２光調節部は、前記第２発光アセンブリの第１光調節部と互いに重なったり当接するように配置され、前記第１発光アセンブリの第１光調節部は、前記第２発光アセンブリの第２光調節部と互いに離隔して配置されることができる。
【００２２】
そして、前記光調節部は、前記第２光調節部よりも長く延在して、前記第２光調節部よりも広い反射面積を有する第３光調節部をさらに含み、前記第１光調節部は、前記反射シートの少なくとも一つの側面の中央に設けられ、前記第２光調節部は、前記第１光調節部の下部に設けられ、前記第３光調節部は、前記第１光調節部の上部に設けられることができる。
【００２３】
また、前記光調節部が前記導光板の側面から出射する光を反射させるように、前記反射シートの左右幅は前記導光板の左右幅よりも長く形成されることができる。
【００２４】
他の実施例は、光源を備える光源モジュールと、前記光源モジュールに隣接するように配置され、前記光源から放出される光が入射する入射部と、前記入射した光が出射する出射部と、を備える導光板と、前記導光板の一側に設けられる反射シートと、前記反射シートに設けられて、前記導光板から出射する光の反射量を調節する印刷パターンと、
を含む、バックライトユニットを提供する。
【００２５】
ここで、前記印刷パターンの色は、黒色、青色または藍色系列の色を含むことができる。
【００２６】
そして、前記印刷パターンは、前記反射シートの前面の少なくとも一つの側部に形成されることができる。
【００２７】
そして、前記印刷パターンは、前記反射シートの上下長さ方向に傾斜することができる。
【００２８】
そして、前記印刷パターンの幅は、その中央部で最大となり、両端部に行くほど次第に減少することができる。
【００２９】
そして、前記印刷パターンの下端部は、前記光源モジュールと隣接するように配置され、前記印刷パターンの下端部の幅は上端部の幅よりも大きく形成されることができる。
【００３０】
また、前記反射シートの左右幅は、前記導光板の左右幅よりも大きく形成され、前記導光板が前記反射シートに重なる場合、前記印刷パターンの少なくとも一部が前記導光板のオープン領域に配置されることができる。
【発明の効果】
【００３１】
実施例によるバックライトユニットは、発光アセンブリの組立及び管理をより容易にすることができ、画面上に光を均一に表現することができる。
【図面の簡単な説明】
【００３２】
【図１】実施例によるバックライトユニット付きディスプレイ装置の分解斜視図である。
【図２】実施例によるディスプレイ装置の側断面図である。
【図３】バックライトユニットに配置された複数の発光アセンブリを示す斜視図である。
【図４】図３の複数の発光アセンブリの配置を示す平面図である。
【図５】実施例による発光アセンブリの前面斜視図である。
【図６】実施例による発光アセンブリの前面斜視図である。
【図７】実施例による発光アセンブリの背面斜視図である。
【図８】実施例による発光アセンブリの側断面図である。
【図９】実施例による導光板の斜視図である。
【図１０】実施例による光源モジュールの前面斜視図である。
【図１１】実施例による光源モジュールの背面斜視図である。
【図１２】実施例による反射シートの斜視図である。
【図１３】実施例による第１反射シートの正面図である。
【図１４】実施例による第２反射シートの正面図である。
【図１５】実施例による第１及び第２反射シートの配置状態を示す正面図である。
【図１６】実施例による反射シートの他の実施例を示す正面図である。
【図１７】実施例による印刷パターンが設けられた反射シートの正面図である。
【図１８】実施例による印刷パターンが設けられた複数の反射シートが配置された状態を示す正面図である。
【発明を実施するための形態】
【００３３】
以下、上記目的を具体的に実現できるような好適な実施例を、添付の図面を参照しつつ説明する。
【００３４】
実施例の説明において、各層（膜）、領域、パターンまたは構造物が基板、各層（膜）、領域、パッドまたはパターンの“上（ｏｎ）”にまたは“下（ｕｎｄｅｒ）”に形成されると記載される場合において、“上（ｏｎ）”と“下（ｕｎｄｅｒ）”は、“直接（ｄｉｒｅｃｔｌｙ）”または“別の層を介在して（ｉｎｄｉｒｅｃｔｌｙ）”形成されるいずれの場合をも含む。また、各層の上または下は、図面を基準にして説明する。
【００３５】
図面において、各層の厚さや大きさは、説明の便宜及び明確性のために誇張、省略または概略して示している。また、各構成要素の大きさは、実際の大きさを全的に反映しているわけではない。そして、従来と同一の構成要素は、説明の便宜上、同一の名称及び同一の符号を付与し、それについての詳細な説明は省略する。
【００３６】
図１に示すように、本実施例のディスプレイ装置は、バックライトユニット１００と、バックライトユニット１００の前方に設けられて、バックライトユニット１００から発散する光を拡散させる光学シート部２００と、光学シート部２００の前方に設けられて、映像を具現する表示パネル２１０と、を含む。
【００３７】
バックライトユニット１００、光学シート部２００、表示パネル２１０の周縁には、これらを支持して固定する支持部材２４０が設けられ、支持部材２４０にはトップカバー３００が装着される。
【００３８】
バックライトユニット１００は、ボトムカバー１１０と、ボトムカバー１１０の内部に装着される複数の発光アセンブリ１０とを含み、発光アセンブリ１０は、ボトムカバー１１０の内面に相互に隣接して配置される。
【００３９】
ボトムカバー１１０の後方には、縦方向または横方向に配置される少なくとも一つのビーム部材２５０が設けられ、該ビーム部材２５０は、ボトムカバー１１０の熱変形または物理的変形を防止する。
【００４０】
ビーム部材２５０は、一方向に長く延びた形態を有することができ、ボトムカバー１１０に比べて熱膨脹係数が小さいとともに剛性が高い金属材質で形成することが好ましい。
【００４１】
一方、ボトムカバー１１０の背面には、バックライトユニット１００及び表示パネル２１０に電力を供給できる電力供給装置（図示せず）及びその他駆動回路のための基板（図示せず）を設けることができる。
【００４２】
図２に示すように、バックライトユニット１００を構成するボトムカバー１１０の上部には、複数の発光アセンブリ１０が相互に隣接して配置されている。
【００４３】
一つの発光アセンブリ１０は、光源モジュール１３と、光源モジュール１３と隣接して配置される導光板１５と、導光板１５の後方に配置される反射シート１７と、光源モジュール１３、導光板１５及び反射シート１７を一緒に固定する固定カバー２０と、で構成される。
【００４４】
光源モジュール１３は、光源１１と、光源１１の配列される回路基板１２と、で構成される。光源１１は、導光板１５の方向に光を発散するように設置される。
【００４５】
光源モジュール１３の配置される部分は、発光領域Ａと定義することができ、光源モジュール１３によって発光された光が入射して導光板１５から出射する領域は、出射領域Ｂと定義することができる。
【００４６】
発光アセンブリ１０は、ボトムカバー１１０の内面に沿って相互に隣接して配置され、ここで、一つの発光アセンブリ１０の導光板１５の一部は、隣接する別の発光アセンブリの一部を覆うように設けられる。
【００４７】
これは、導光板１５の下面を傾斜形成することによって可能になるもので、特定の発光アセンブリ１０の出射領域Ｂの一部が、別の発光アセンブリ１０の発光領域Ａを覆うことのできる構造である。
【００４８】
ボトムカバー１１０にはその内部に突出する放熱突起１１０ｂが設けられ、この放熱突起１１０ｂは、ボトムカバー１１０の表面積を増加させることで放熱効率を増大させる。
【００４９】
また、放熱突起１１０ｂは、相互に隣接する発光アセンブリ１０の間に配置されて、発光アセンブリ１０を支持する役割を果たす。
【００５０】
さらにいうと、導光板１５の下面は傾斜面とされており、このような傾斜によって、導光板１５及び反射シート１７とボトムカバー１１０との間には空間が形成され、この空間に放熱突起１１０ｂを配置することができる。
【００５１】
このような放熱突起１１０ｂは、発光アセンブリ１０の設置位置をガイドする一種のスペーサの機能をすることができ、ディスプレイ装置またはバックライトユニットが立設される場合に、発光アセンブリ１０の下部を支持する支持部の役割も果たすことができる。
【００５２】
導光板１５の上部または前面に配置される光学シート部２００は、拡散シート２００ａ及び／またはプリズムシート２００ｂなどで構成されることができる。
【００５３】
拡散シート２００ａは、導光板１５から出射した光を均一に拡散させ、拡散シート２００ａによって拡散された光は、プリズムシート２００ｂによって表示パネル２１０に集光することができる。
【００５４】
プリズムシート２００ｂは、水平または垂直プリズムシートで構成することができ、１枚以上の照度強化フィルムなどを含むことができる。
【００５５】
図示してはいないが、光学シート部２００がバックライトユニットに配置された時、揺動することなく固定した状態を維持するように、ボトムカバー１１０内には光学シート部２００を支持するガイドピン（図示せず）を設けることが好ましい。
【００５６】
ガイドピン（図示せず）との結合のために、光学シート部２００には所定の孔や溝を形成することができ、このような孔や溝にガイドピン（図示せず）を結合させることによって光学シート部２００をボトムカバー１１０に固定することができる。
【００５７】
光学シート部２００の前面または上部には表示パネル２１０が設けられる。
【００５８】
表示パネル２１０は、互いに対向して均一なセルギャップを保ちつつ合着された下部基板２１１及び上部基板２１２からなり、これら両基板２１１，２１２の間に介在された液晶層をさらに含むことができる。
【００５９】
下部基板２１１には複数のゲートライン及びこれと交差する複数のデータラインが形成される。ゲートラインとデータラインとの交差領域に薄膜トランジスタ（ＴＦＴ：Ｔｈｉｎ  ｆｉｌｍ  ｔｒａｎｓｉｓｔｏｒ）を形成することができる。
【００６０】
一方、上部基板２１２には、ＲＧＢのカラーフィルタが設けられることができる。ただし、カラーフィルタは上部基板２１２にのみ設置されるものではない。
【００６１】
下部基板２１１は、薄膜トランジスタの他にもカラーフィルタを含むことができる。
【００６２】
下部基板２１１及び上部基板２１２から構成される表示パネル２１０の構成は、上述の構成に限定されるものではなく、液晶層を駆動する方式にしたがって様々にすることができる。
【００６３】
表示パネル２１０の縁部には、ゲートラインにスキャン信号を供給するゲート駆動ＰＣＢ（Ｇａｔｅ  Ｄｒｉｖｉｎｇ  Ｐｒｉｎｔｅｄ  Ｃｉｒｃｕｉｔ  Ｂｏａｒｄ）を設けることができる。また、表示パネル２１０の上面（すなわち、前面）及び下面（すなわち、背面）のうち少なく一方には、偏光フィルム（図示せず）を配置することが好ましい。
【００６４】
そして、上記の表示パネル２１０、光学シート部２００、バックライトユニット１００の周縁は、支持部材２４０によって取り囲まれて固定され、支持部材２４０は、トップカバー３００によって取り囲まれて固定される。
【００６５】
図３に示すように、発光アセンブリ１０は複数個が設けられ、これらはｘ軸及びｙ軸方向にそれぞれ複数個の行列形態で配置されることができる。例えば、２７個の発光アセンブリは、３×９の行列形態で配置されることができる。
【００６６】
上記の通り、発光アセンブリ１０はそれぞれ、光を発光する発光領域Ａと、光を出射する出射領域Ｂとからなることができ、最下端の発光アセンブリ１０を除けば、残り発光アセンブリ１０の発光領域Ａは、下側の発光アセンブリの出射領域Ｂによって覆われる。
【００６７】
このような構造によって、最下端部の発光アセンブリ１０以外の残り発光アセンブリ１０の発光領域Ａは、外部に露出されない形態となる。
【００６８】
図４に示すように、各発光アセンブリ１０の一部分が重なって配置される場合、各発光アセンブリ１０の導光板１５は、上下左右にそれぞれある程度離隔して配置されることが好ましい。
【００６９】
ここで、ｘ方向は、左右方向であって、発光アセンブリ１０同士が重なることなく一定距離ｔ１だけ離隔する方向であり、ｙ方向は、上下方向であって、発光アセンブリ１０同士がある程度重なる方向である。
【００７０】
特定の一つの発光アセンブリ１０の上下領域をＬ１とし、これと一定部分重なる別の発光アセンブリ１０の上下領域をＬ２とする。
【００７１】
Ｌ１の領域を有する発光アセンブリ１０とＬ２の領域を有する発光アセンブリ１０とを一定部分重ねることで、光源１１の設置された部分を外部に露出させず、この部分で集中的に輝度が増加することを防止する。
【００７２】
そして、導光板１５のそれぞれが隣接することによって、導光板１５のみからなる一種の平面状態を維持し、このような平面状態を維持することによって画面全体にわたって均一な輝度を維持することが可能になる。
【００７３】
Ｌ１の上下領域を有する発光アセンブリ１０の導光板１５の先端部１５１は、Ｌ２の上下領域を有する発光アセンブリ１０の導光板１５の段差部１５２と一定距離ｔ２離隔する。
【００７４】
このようにｔ１，ｔ２のような一定距離を設定した理由は、導光板１５が樹脂物であり、光源モジュールから発生する熱によって熱膨張することを考慮したためである。
【００７５】
このような距離によって、特定導光板が隣接している導光板と接触して変形されたり破損されたりすることを防止することができる。
【００７６】
特に、光源が発光ダイオード（ＬＥＤ）を含み、導光板１５が熱膨張係数の大きい樹脂材質で構成される場合、発光ダイオードから放出される熱によって導光板１５が熱膨張することがある。
【００７７】
このような特性から、もし導光板同士が熱膨張する前に互いに接していると、熱膨張されつつ互いに圧力を加えて、導光板全体において破損や熱変形が発生することがある。
【００７８】
また、導光板１５を含む発光アセンブリ１０の相互配置（相対的な位置関係）がずれる危険性もある。
【００７９】
そこで、本実施例では、上記の通り、各導光板１５を隣接する導光板と接触させずに一定間隔をおいて配置することによって、熱膨張による変形、配置不良の問題点を解消することができる。
【００８０】
図２で説明した通り、本実施例の発光アセンブリ１０では光源１１が導光板１５の下側面に配置され、エッジ（ｅｄｇｅ）型バックライト方式で光を発散する。
【００８１】
そして、それぞれの発光アセンブリ１０を相互に隣接して配置し、発光アセンブリ１０がそれぞれ光源の機能をする点から、直下（ｄｉｒｅｃｔ）方式の特性も示す。
【００８２】
ただし、この場合、一般の直下方式による光源は点光源の特性を有するのに対し、本実施例による発光アセンブリ１０は面光源の特性を有することができる。
【００８３】
これにより、光源が画面上にホットスポット（ｈｏｔ  ｓｐｏｔ）のように現れる問題を解決できる他、従来の直下型タイプに比べて厚さも減らすことができる。
【００８４】
図５に示すように、発光アセンブリ１０は、発光領域Ａと出射領域Ｂとからなる。
【００８５】
発光領域Ａの場合、光源１１及び回路基板１２で構成される光源モジュール１３と、導光板１５の一部を構成し、光源１１に隣接して配置されて光源から光が入射する入射部１５ａと、を含む。
【００８６】
そして、光源モジュール１３と導光板１５の入射部１５ａは、固定カバー２０に取り囲まれて結合される。
【００８７】
固定カバー２０は、発光領域Ａの前方と後方をカバーする役割を果たし、前方側は第１固定カバー２１に取り囲まれ、後方側は第２固定カバー２２に取り囲まれる。
【００８８】
出射領域Ｂは、導光板１５の一部を構成する出射部１５ｂ及び該出射部１５ｂの背面に配置される反射シート１７で構成される。
【００８９】
出射部１５ｂは入射部１５ａから一側に延在する形態をとる。
【００９０】
一方、出射部１５ｂと入射部１５ａとの境界上には段差１５２が設けられる。出射部１５ｂの先端部１５１は、導光板１５において最も薄い厚さとされる。
【００９１】
図６に示すように、第１固定カバー２１には、導光板１５の一部が挿入されて固定される固定孔２１ａ，２１ｂ，２１ｃが形成される。
【００９２】
このような固定孔２１ａ，２１ｂ，２１ｃと導光板１５の一部分が結合されることによって、導光板１５と第１固定カバー２１間の位置決めが可能になる。
一方、固定孔２１ａ，２１ｂ，２１ｃの近傍には所定の挿入孔２３（２３ａ，２３ｂ）が形成され、挿入孔２３ａ，２３ｂには、ねじ形態の締結部材２４（２４ａ，２４ｂ）が挿入される。
【００９３】
ここで、第１固定カバー２１に形成される挿入孔２３（２３ａ，２３ｂ）のうち、中央部及び両端部に在る挿入孔２３ｂは、発光アセンブリ１０を締結部材２４ｂによってボトムカバー１１０（図１参照）に固定するためのものである。
【００９４】
そして、中央に位置する挿入孔２３ｂの両側に位置する小さい挿入孔２３ａは、導光板１５と光源モジュール１３とを締結部材２４ａによって締結するためのものである。
【００９５】
図７に示すように、発光アセンブリ１０の背面には、導光板１５の背面を覆う反射シート１７が設けられ、その下部には反射シート１７及び導光板１５をカバーしてこれらを固定させる第２固定カバー２２が設けられる。
【００９６】
第２固定カバー２２には、第１固定カバー２１に形成された挿入孔２３ａ，２３ｂに対応する締結孔２２ａ，２２ｂが形成される。
【００９７】
締結部材２４（２４ａ，２４ｂ）は、挿入孔２３ａ，２３ｂと締結孔２２ａ，２２ｂを挿通して締結され、相対的に大きい締結部材２４ｂの端部は相対的に大きく突出して、該突出した部分がボトムカバー１１０（図１参照）と結合される。
【００９８】
また、第２固定カバー２２にはコネクター孔４７が形成され、このコネクター孔４７には、光源モジュール１３に連結されるコネクター１４が嵌まり込んでボトムカバー１１０（図１参照）に結合されることができる。
【００９９】
第２固定カバー２２には複数のコネクター孔４７を形成することができる。これは、発光アセンブリがボトムカバー１１０に結合される位置にしたがってコネクター１４の位置が変わることがあり、このような位置変化を考慮したものである。
【０１００】
このコネクター１４はボトムカバー１１０に設けられる電力供給装置（図示せず）に結合され、このような結合によって光源モジュール１３に電源を供給することができる。
【０１０１】
図８に示すように、発光アセンブリ１０は、上記の通り、発光領域Ａと出射領域Ｂとからなり、発光領域Ａは、主に、ＬＥＤ形態の光源１１と回路基板１２とで構成される光源モジュール１３によって構成される。
【０１０２】
導光板１５の入射部１５ａの側面は光源１１と対向するように設けられ、光源１１が発光する場合、光はＣ方向に移動して入射部１５ａに入射する。
【０１０３】
出射部１５ｂは、入射部１５ａと一体として連結され、入射部１５ａから入った光は、導光板１５の内部で全反射または乱反射を経て出射部１５ｂの外部に出射する。
【０１０４】
この場合、光は、その性質上、出射部１５ｂの全方に出射するが、導光板１５の後方（または下方）に設けられる反射シート１７によって、導光板１５の後方（または下方）に向かう光は、反射シート１７によって反射されて導光板１５の内部に再入射し、主にＤ方向に出射する。
【０１０５】
反射シート１７は、導光板１５の後方（または、下方）にわたって配置され、その一部は光源モジュール１３を構成する回路基板１２と導光板１５との間に挟持される。
【０１０６】
光源モジュール１３と導光板１５と反射シート１７との結合関係は、固定カバー２０によって維持される。すなわち、第１固定カバー２１は段差を有する状態で発光アセンブリ１０の前方（または、上方）に配置され、第２固定カバー２２は、発光アセンブリ１０の後方（または、下方）に配置される。
【０１０７】
そして、締結部材２４によって第１及び第２固定カバー２１，２２と回路基板１２とが締結される。
【０１０８】
第１固定カバー２１の内面には、光源１１から発光される光の一部を導光板１５の入射部１５ａの方向に案内する補助反射シート１９が設けられる。
【０１０９】
光源１１から発散される光の大部分は直接入射部１５ａに向かうが、一部は、発散される過程で第１固定カバー２１に向かうことがある。
【０１１０】
このように発散される光を導光板１５の方向に進行させるために補助反射シート１９を設けるわけである。
【０１１１】
補助反射シート１９は、上記のように光を反射させる役割の他に、光源１１の電極が第１固定カバー２１と接触して電流が通じるようになる通電現象を防止する役割も果たす。
【０１１２】
このために、補助反射シート１９の大きさは、光源１１の大きさに合わせて形成するか、あるいは光源１１よりも、やや大きく形成することが好ましい。
【０１１３】
第２固定カバー２２は、回路基板１２と隣接するように配置され、回路基板１２と第２固定カバー２２との間には、回路基板１２から発生する熱を第２固定カバー２２に伝達する放熱部材１８が設けられる。
【０１１４】
光源モジュール１３から発生した熱が回路基板１２上に残留すると、光源１１の発光時に異常を招くことがある。このように発生した熱を放熱部材１８によって迅速に外部に放出することができる。
【０１１５】
放熱部材１８は、高い熱伝導率を有する材質、すなわち、金属、黒鉛などの材質からなることが好ましい。
【０１１６】
そして、放熱部材１８は、回路基板１２の左右幅と上下幅に対応する大きさを有するか、あるいはそれよりもややり大きく形成されることが好ましい。
【０１１７】
導光板１５の出射部１５ｂは、下面が所定の傾斜角度θを有するように形成され、先端部１５１に行くほど厚さが漸次薄くなる形態となる。
【０１１８】
そして、先端部１５１は、隣接する発光アセンブリの発光領域Ａを覆うように配置される。ここで、傾斜角度は状況によって変わることができ、特に、入射部１５ａから入射した光が出射部１５ｂの下面によって散乱及び反射されて最も効率的に上面へと出射するような最適化された角度となることが好ましい。
【０１１９】
そして、光の出射効率を向上させるために、導光板１５の表面に散乱パターンやプリズムパターンを形成することもできる。
【０１２０】
導光板１５の下面に形成された傾斜面に沿って配置される反射シート１７の基端部は、導光板１５の段差部１５２と一致するように配置しても良く、図８に示すように、段差部１５２を超えて隣接する導光板に接触するように配置しても良い。
【０１２１】
熱膨張を考慮して、一つの導光板１５を隣接する導光板と所定間隔離隔させなければならないが、この離隔空間を反射シート１７がカバーすることによって、導光板１５から出る光を導光板１５の前方（または、上方）に反射させることができる。このため、反射シート１７の基端部は導光板１５の段差部１５２を越えて配置されることが好ましい。
【０１２２】
これにより、画面上に暗線が現れることを防止でき、光損失も最小化させることができる。
【０１２３】
このような発光アセンブリ１０間の配置によって、導光板１５の上面（または、前面）は、隣接する導光板の上面（または、前面）と共に平面を形成することができ、このように平面とすることによって、面光源として効率的に機能することが可能になる。
【０１２４】
図９に示すように、導光板１５の下部には突起部１５ｃが設けられる。具体的に、突起部１５ｃは入射部１５ａの表面に設けられる。
【０１２５】
このように設けられる突起部１５ｃは、第１固定カバー２１（図６）に形成された固定孔２１ａ，２１ｂ，２１ｃ（図６）に嵌って、導光板１５が第１固定カバー２１に動くことなく固定されるようにする。
【０１２６】
突起部１５ｃの形状は様々な形状（円筒、四角柱など）にすることができ、入射部１５ａに沿って側面に互いに所定間隔離隔して配置されることが好ましい。
【０１２７】
図１０は、光源モジュール１３を示す図であり、光源モジュール１３は、左右に長く形成される回路基板１２と、この回路基板１２の表面に互いに所定間隔離隔して配置される複数の光源１１と、を含む。
【０１２８】
回路基板１２は、一般ＰＣＢ、メタルコアＰＣＢ、フレキシブルＰＣＢのうちいずれかとすることができるが、これに限定されるものではない。
【０１２９】
光源１１は、上記の通り、ＬＥＤで構成されることが好ましく、特に、３〜４個が一つのユニットとして電源を受け、別のユニットと独立して駆動することができる。
【０１３０】
これによって、ローカルディミングのような作動を行うことが可能になり、ディスプレイ装置の作動に際してより効率的な明暗表現ができる。
【０１３１】
本実施例では、３２個のＬＥＤとし、４個が一つのユニットを構成することで総８個のユニットを構成するとしたが、この数量に限定されず、様々な数量にすることができる。
【０１３２】
図１１に示すように、回路基板１２の背面にはコネクター１４が設けられることによって、ボトムカバー１１０（図１）に設けられる電源供給装置に連結可能になる。
ｖ   
図１２に示すように、反射シート１７は、反射面１７ａと、反射面１７ａの両側面から側方に延長されてなり、光の反射量を調節する光調節部１７ｂ，１７ｃと、反射面１７ａの下部に設けられ、光源１１（図１０）が挿入される挿入溝１７ｄと、を含む。ここで、光調節部１７ｂ，１７ｃは、反射シート１７と一体とすることができる。
【０１３３】
ここで、挿入溝１７ｄは、左右に長く形成されるスロット形態とされ、複数個が形成される。
【０１３４】
上記の通り、光源１１は、複数個が一つのユニットを構成し、複数のユニットが一つの光源モジュール１３（図１０）を構成する。したがって、ユニットの数量に対応して挿入溝１７ｄを形成し、一つのユニットを一つの挿入溝１７ｄにはめ込むことが好ましい。
【０１３５】
したがって、挿入溝１７ｄは、相互離隔した状態で左右に配置される。
【０１３６】
図１３に示すように、反射シート１７は、導光板１５に重なるように設けられ、反射シート１７の左右幅は導光板１５の左右幅よりも大きく形成されることが好ましい。
【０１３７】
これは、導光板１５から発散する光は導光板１５の側面からも出るから、このような光を正面に反射させるためである。
【０１３８】
反射シート１７の反射面１７ａから左右側に延在する光調節部は、その延在長さによって第１光調節部１７ｂと第２光調節部１７ｃとに区別される。
【０１３９】
第１光調節部１７ｂの延在長さｇ２と第２光調節部１７ｃの延在長さｇ１は、別々に形成される。ここで各延在長さの基準線は導光板１５の側面とした。
【０１４０】
ここで、第１光調節部１７ｂと第２光調節部１７ｃは、それぞれの延在長さが異なるから、段差を有する形態となる。
【０１４１】
第２光調節部１７ｃの延在長さｇ１は、第１光調節部１７ｂの延在長さｇ２に比べて長く形成されることが好ましい。
【０１４２】
このため、第２光調節部１７ｃの反射面積が前記第１光調節部１７ｂに比べて広くなる特徴がある。
【０１４３】
これは、図１４及び図１５で説明する他の反射シートの光調節部との配置関係を考慮したものであり、その詳細については後述する。
【０１４４】
一方、第２光調節部１７ｃの上下長さは、反射シート１７の上下長さの略半分またはそれ以上にすることができる。これは、導光板１５の側面から出る光を可能な限り多く反射するためである。
【０１４５】
図１３に示す反射シート１７は、ボトムカバー１１０（図１）の中央部に上下方向に配置される発光アセンブリに装着されるもので、この反射シート１７の第１光調節部１７ｂは、反射シート１７の側面の下部に配置されて光源モジュール１３（図１１）と隣接するように配置される。
【０１４６】
そして、第２光調節部１７ｃは第１光調節部１７ｂに比べて上部に設けられるから、光源モジュール１３と所定距離離隔する。
【０１４７】
図１４は、図１３に示す反射シート１７の側面に隣接して配置される反射シート１１７を示す図である。
【０１４８】
以下、図１３に示す反射シートは第１反射シート１７とし、図１４に示す反射シートは第２反射シート１１７とする。
【０１４９】
第２反射シート１１７にも、第１光調節部１１７ｂと第２光調節部１１７ｃが設けられるが、これらの配置関係は、図１３に示す配置関係と正反対となる。
【０１５０】
ここでも、第２反射シート１１７の左右幅は導光板１５の左右幅よりも大きく形成し、第２光調節部１１７ｃの延在長さｇ４は、第１光調節部１１７ｂの延在長さｇ３よりも大きくする。
【０１５１】
これによって、第２光調節部１１７ｃの反射面積は第１光調節部１１７ｂの反射面積よりも広くなる。
【０１５２】
ただし、第２光調節部１１７ｃは、挿入溝１１７ｄに嵌め込まれる光源モジュール１３（図１０）に隣接して配置され、第１光調節部１１７ｂは、光源モジュール１３から所定距離離隔して配置される。
【０１５３】
すなわち、図１３に示す第１反射シート１７では第１光調節部１７ｂが光源モジュール１３に隣接して配置されるが、図１４に示す第２反射シート１１７では第２光調節部１１７ｃが光源モジュール１３に隣接して配置される点が異なる。
【０１５４】
各発光アセンブリが別の発光アセンブリと隣接して配置される場合、各発光アセンブリに含まれる各反射シートは、図１５に示すように配列される。
【０１５５】
特に、第１反射シート１７と第２反射シート１１７が配置される場合、第１反射シート１７を中心に、第２反射シート１１７が左右に配置される。
【０１５６】
この場合、第１反射シート１７の第２光調節部１７ｃと第２反射シート１１７の第１光調節部１１７ｂとは、互いに重なったり当接したりすることが好ましい。
【０１５７】
なお、第１反射シート１７の第１光調節部１７ｂ及び第２反射シート１１７の第２光調節部１１７ｃは互いに一定距離離隔することが好ましい。
【０１５８】
第１反射シート１７の第２光調節部１７ｃの延在長さｇ１が、第２反射シート１１７の第２光調節部１１７ｃの延在長さｇ４より長いから、このような配列は可能になる。
【０１５９】
このため、第１及び第２反射シート１７，１１７に光源モジュール１３（図１０）が配置される場合、光源モジュール１３に隣接する部分、すなわち、第１及び第２反射シート１７，１１７の側面の下部部分には離隔空間が形成される。
【０１６０】
そして、第１及び第２反射シート１７，１１７側面の上部部分は、反射シートの光調節部が互いに重なる形態となる。
【０１６１】
このように一部分は離隔空間を形成し、他の部分は重なるようにした理由は、反射シート１７，１１７の下部には光源モジュール１３が近接しており、発光量が反射シート１７，１１７の上部に比べて多いからである。
【０１６２】
すなわち、下部には発光量が多く、それだけ導光板１５の側面から出る光の量も多いが、上部の場合は、下部から発光された光が上部方向に到達せずに分散される光があるため、それだけ導光板１５の側面から出る光の量も下部に比べて少ない。
【０１６３】
すなわち、上部部分では下部に比べて光損失が多く、よって、重なり合った反射シート１７，１１７による反射光によって光損失を補償することができる。
【０１６４】
一方、下部部分では導光板１５の側面から出る光が上部に比べて多すぎるため、これをある程度減少させることで上部部分とバランスさせる必要がある。
【０１６５】
このために、隣接する反射シートの部分同士、例えば、第１反射シート１７の第１光調節部１７ｂと第２反射シート１１７の第２光調節部１１７ｃとの間に間隔を形成し、この間隔の部分では光が反射されないようにする。
【０１６６】
これによって、第１反射シート１７と第２反射シート１１７との境界面において発光量の均一化を図ることができる。
【０１６７】
一方、図１６は、反射シート２１７の両側面に形成される第１乃至第３光調節部２１７ｂ，２１７ｃ，２１７ｄを示す図である。
【０１６８】
第１光調節部２１７ｂは、反射シート２１７の両側面において中央部に形成され、第２光調節部２１７ｃは、第１光調節部２１７ｂの下部に形成され、第３光調節部２１７ｄは、第１光調節部２１７ｂの上部に形成される。
【０１６９】
ここで、第２光調節部２１７ｃの延在長さは第１光調節部２１７ｂよりも長く、第３光調節部２１７ｄの延在長さは第２光調節部２１７ｃよりも長く形成することが好ましい。
【０１７０】
光源モジュール１３が反射シート２１７及び導光板１５の下端部に位置するから、光源モジュール１３から出射する光度が、図１５に示す光源モジュール１３の光度よりも強い場合、導光板１５に入射した光は、ある程度直進した後に導光板１５内で散乱及び反射されて正面に出射したり側面から出る。
【０１７１】
したがって、導光板１５の側面から出る光の量は、この側面の中央部において最大となる。
【０１７２】
ただし、導光板１５の下部には光源モジュール１３が配置されるから、導光板１５の上部に比べては出射される光量が多いという特徴がある。すなわち、側面から出る光量は、側面の中央部、側面の下部、そして側面の上部の順に減少する。
【０１７３】
したがって、導光板１５の側面の中央部から出る光の反射量を最小化し、導光板１５の側面の上部から出る光の反射量を最大化するために、導光板１５の側面の上部における第３光調節部２１７ｄの長さを最も長くして反射面積を最大にし、第１光調節部２１７ｂの長さを最も短くして反射面積を最小にする。
【０１７４】
図１７は、本実施例の反射シート３１７の両側面において光の反射程度を調節できる他の実施例を示す図で、反射シート３１７の前面の両側部には上下方向に長く印刷パターン２７が設けられる。
【０１７５】
印刷パターン２７の色は、黒色、青色、または藍色系列の暗い色とし、光をある程度吸収できるようにする。
【０１７６】
反射シート３１７の左右幅は導光板１５の左右幅よりも広く形成し、導光板１５が反射シート３１７に重なる場合、反射シート３１７の左右部分が一定程度突出するようになる。
【０１７７】
そして、この突出した面に印刷パターン２７を形成することによって、印刷パターン２７の全部または一部が導光板１５に覆われないようにすることが好ましい。すなわち、導光板１５が反射シート３１７に重なる場合、印刷パターン２７の少なくとも一部は導光板１５のオープン領域に配置されることができる。
【０１７８】
印刷パターン２７は、導光板１５の側面から出る光の反射量を調節する役割を果たすから、印刷パターン２７が導光板１５に覆われないようにすることが重要である。
【０１７９】
導光板１５の側面から出る光の量は、導光板１５の側面の中央部とその隣接部分において最大となり、上下両端に行くほど減少する。
【０１８０】
光源モジュール１３が反射シート３１７及び導光板１５の下端部に位置するから、光源モジュール１３から導光板１５に入射した光は、ある程度直進をしてから導光板１５内で散乱及び反射されて正面に出射したり側面に出射する。
【０１８１】
したがって、導光板１５の側面から出る光の量は、側面の中央部において最大となる。
【０１８２】
ただし、導光板１５の下部は光源モジュール１３が配置されるから、導光板１５の上部に比べて出射光量が多いという特徴がある。すなわち、導光板１５の出射光量は、側面の中央部、側面の下部、そして側面の上部の順に減少する。
【０１８３】
したがって、印刷パターンは、導光板１５の側面の中央部において出射される光の反射量を最小化し、導光板１５の側面の上部において出射される光の反射量を最大化するように、その幅を位置にしたがっ別々にすることが好ましい。
【０１８４】
すなわち、出射光量の多い導光板１５の側面中央部に隣接するパターンの幅を最大にし、出射光量が相対的に少ない導光板１５の側面上部に隣接するパターンの幅ｌ１を最小にする。
【０１８５】
そして、導光板１５の側面下部に隣接するパターンの幅ｌ２は、パターンの中央部の幅と上部の幅ｌ１の間の値を有することが好ましい。
【０１８６】
そして、パターンの幅は、中央部から上下部に行くほど順次にまたは階段的に減少することが好ましい。
【０１８７】
したがって、図１８に示すように、反射シート３１７を左右に配置する場合に印刷パターン２７も互いに隣り合って配置されて、導光板１５から出射する光の量を調節し、その結果、画面が全体的に均一な光量を有するようにする。
【０１８８】
上記の実施例によるバックライトユニットは、複数個の発光アセンブリを独立して組み立てることができるので、バックライトユニットの管理をより便利にすることができる。
【０１８９】
そして、各発光アセンブリへの電流の印加が独立に行われ、各発光アセンブリ内の光源にも独立して電流の印加が行われるから、ローカルディミングのような局部的な画像明暗制御が可能になる。
【０１９０】
発光アセンブリを構成する反射シートに反射光量を調節できる突出した形態の光調節部または印刷パターンを備えることによって、導光板の側面から出る光量の反射光の量を調節することができる。
【０１９１】
すなわち、出射光量の相対的に多い導光板の側面の下部または中央部における反射光量を、出射光量の相対的に少ない導光板の側面の上部における反射光量よりも小さくすることができる。
【０１９２】
これにより、外部から画面を見る時、発光アセンブリと発光アセンブリとの境界上において光の輝度が均一に見えるようにすることができる。
【０１９３】
以上では具体的な実施例に挙げて本発明を説明してきたが、これらは単なる例示に過ぎず、本発明を限定するためのものではない。したがって、当該技術の分野に属する通常の知識を有する者にとっては、本実施例の本質的な特性を逸脱しない範囲で様々な変形及び応用が可能であるということは明らかである。例えば、実施例に具体的に示した各構成要素は、様々な変形実施が可能である。そして、これらの変形及び応用も、添付の請求範囲に規定する本発明の範囲に含まれるものとして解釈すべきである。
【符号の説明】
【０１９４】
１０：発光アセンブリ
１１：光源
１２：回路基板
１３：光源モジュール
１５：導光板
１５ａ：入射部
１５ｂ：出射部
１７，１１７，２１７：反射シート
１７ａ，１１７ａ，２１７ａ：反射面
１７ｂ，１１７ｂ，２１７ｂ：第１光調節部
７ｃ，１１７ｃ，２１７ｃ：第２光調節部
１８：放熱部材
１９：補助反射シート
２０：固定カバー
２１：第１固定カバー
２２：第２固定カバー
２７：印刷パターン
【図１】
2011238610.tif 000003
【図２】
2011238610.tif 000004
【図３】
2011238610.tif 000005
【図４】
2011238610.tif 000006
【図５】
2011238610.tif 000007
【図６】
2011238610.tif 000008
【図７】
2011238610.tif 000009
【図８】
2011238610.tif 000010
【図９】
2011238610.tif 000011
【図１０】
2011238610.tif 000012
【図１１】
2011238610.tif 000013
【図１２】
2011238610.tif 000014
【図１３】
2011238610.tif 000015
【図１４】
2011238610.tif 000016
【図１５】
2011238610.tif 000017
【図１６】
2011238610.tif 000018
【図１７】
2011238610.tif 000019
【図１８】
2011238610.tif 000020